(57)【要約】【課題】  大形化を最低限に抑えつつアンテナにかかる衝撃を抑え且つアンテナを位置決めし得るアンテナ枠体、アンテナ構造体、及びこれを備えた電波時計の提供【解決手段】  電波時計１のアンテナ構造体３のアンテナ枠体４は、細長い棒状の磁気コア１１及びその長手方向の中央部に巻回された巻線１２を備えたアンテナ１０を収容し固定する非導電性材料製の枠体からなる。枠体４は、アンテナ１０の巻線部分１６を収容する凹部部分２１及び該部分２１の両側において磁気コアの両端部１４，１５を収容する凹部部分２２，２３を含む凹部２０、並びに両端部にあって基体８０に取付けられる端部取付け部５０，６０を有する。凹部２０にアンテナ１０が収容される際、部分２２，２３に対して磁気コア１１の端部１４，１５が位置決めされる。端部取付け部５０，６０が、基体側表面５１，６１で取付表面８１に当接されて基体８０に取付けられる。【選択図】    図２
2006237744.tif 000002
【特許請求の範囲】
【請求項１】
細長い棒状の磁気コア及び該コアの長手方向の中央部に巻回された巻線を備えたアンテナを収容し固定するための非導電性材料からなるアンテナ枠体であって、
前記アンテナの巻線部分を収容する巻線部収容凹部部分及び該巻線部収容凹部部分の両側において磁気コアの両端部を収容する磁気コア端部収容凹部部分を含む凹部を有すると共に、両端部にあって基体に取付けられる端部取付け部を有し、
前記凹部に前記アンテナが収容される際、前記磁気コア端部収容凹部部分に対して前記アンテナの前記磁気コアの端部が位置決めされるように構成され、
前記端部取付け部が、前記凹部の開口のある基体側表面で基体の取付け表面に当接されて基体に取付けられるように構成されたアンテナ枠体。
【請求項２】
細長い棒状の磁気コア及び該コアの長手方向の中央部に巻回された巻線を備えたアンテナと非導電性材料からなるアンテナ枠体とを有するアンテナ構造体であって、
前記アンテナ枠体が、前記アンテナの巻線部分を収容する巻線部収容凹部部分及び該巻線部収容凹部部分の両側において前記磁気コアの両端部を収容する磁気コア端部収容凹部部分を含む凹部を備えると共に、両端部にあって基体に取付けられる端部取付け部を備え、
前記凹部に前記アンテナが収容される際、前記磁気コア端部収容凹部部分に対して前記アンテナの前記磁気コアの端部が位置決めされるように構成され、
前記端部取付け部が、前記凹部の開口のある基体側表面で基体の取付け表面に当接されて基体に取付けられるように構成されたアンテナ構造体。
【請求項３】
前記磁気コアが円弧状に湾曲しており、前記アンテナ枠体が前記磁気コアの外周側を蔽う外周側壁部を有する請求項２に記載のアンテナ構造体。
【請求項４】
前記アンテナ枠が基体側表面の反対側に位置する壁部に突起部を有する請求項２又は３に記載のアンテナ構造体。
【請求項５】
請求項２から４までのいずれか一つの項に記載のアンテナ構造体を備えた腕時計式の電波時計。
【発明の詳細な説明】
【技術分野】
【０００１】
本発明はアンテナを収容し固定するためのアンテナ枠体、該アンテナ枠体を備えたアンテナ構造体、及び該アンテナ構造体を備えた腕時計式の電波時計に係る。
【背景技術】
【０００２】
電波時計において、時刻情報を含む長波の形態の標準電波を受信する受信アンテナの磁気コアの材料は、渦電流損等の損失及びコストを考慮すると、フェライトが好ましい。しかしながら、フェライトは極めて脆くて割れ易い。
【０００３】
従って、外部の衝撃がフェライトに及ぶのを避けるべく、フェライトからなる磁気コアを両端部でゴムの如き弾性材に取付け、該弾性材を枠体に取付けることは提案され・知られている（特許文献１）。
【０００４】
しかしながら、特許文献１に開示の技術は、衝撃を吸収し得るに十分な大きさの弾性材が利用され得るものに限られ且つ通常受ける衝撃が比較的小さいものに限られることから、置時計のようなものに限られる。
【０００５】
一方、中央の小径管状部と該小径管状部の両端鍔状部の外周から両端側に延びた大径管状部とを備えたボビンを棒状フェライトに嵌装し、小径管状部のまわりに巻線を巻いてコイルを形成すること、及び大径管状部とフェライトコアの端部と間にバネ性突起を設けてフェライトコアに衝撃が及ぶのを避けることも提案されている（特許文献２）。
【０００６】
この提案の保持構造では、フェライトコアへの衝撃がボビン及びバネ性突起により避け得るものの、ボビンの介在により、損失が生じ易くなるだけでなく、ボビン及びバネ性突起の介在によりサイズも大きくなる。
【特許文献１】特開２００３−１１０３４１号公報（図５及び関連する説明部分）
【特許文献２】特開２００４−１２５６０６号公報（図１及び２並びに関連する説明部分）
【発明の開示】
【発明が解決しようとする課題】
【０００７】
本発明は、前記諸点に鑑みなされたものであり、その目的とするところは、大形化を最低限に抑えつつアンテナにかかる衝撃を抑え且つアンテナを位置決めし得るアンテナ枠体、該枠体を備えたアンテナ構造体、及び該アンテナ構造体を備えた電波時計を提供することにある。
【課題を解決するための手段】
【０００８】
前記目的を達成する本発明のアンテナ枠体は、細長い棒状の磁気コア及び該コアの長手方向の中央部に巻回された巻線（アンテナワイヤ）を備えたアンテナを収容し固定するための非導電性材料からなるアンテナ枠体であって、アンテナの巻線部分を収容する巻線部収容凹部部分及び該巻線部収容凹部部分の両側において磁気コアの両端部を収容する磁気コア端部収容凹部部分を含む凹部を有すると共に、両端部にあって基体に取付けられる端部取付け部を有し、凹部にアンテナが収容される際、磁気コア端部収容凹部部分に対してアンテナの磁気コアの端部が位置決めされるように構成され、端部取付け部が、凹部の開口のある基体側表面で基体の取付け表面に当接されて基体に取付けられるように構成されている。
【０００９】
本発明のアンテナ枠体では、該アンテナ枠体が「凹部にアンテナが収容される際、磁気コア端部収容凹部部分に対してアンテナの磁気コアの端部が位置決めされるように構成されている」ので、アンテナ枠体の凹部内にアンテナを収容することにより、アンテナがアンテナ枠体に対して正確に位置決めされ得る。
【００１０】
また、本発明のアンテナ枠体では、該アンテナ枠体が「アンテナの巻線部分を収容する巻線部収容凹部部分及び該巻線部収容凹部部分の両側において磁気コアの両端部を収容する磁気コア端部収容凹部部分を含む凹部を有すると共に、両端部にあって基体に取付けられる端部取付け部を有し、端部取付け部が、凹部の開口のある基体側表面で基体の取付け表面に当接されて基体に取付けられるように構成され」ているので、該枠体を地板の如き基体に取付けることによりアンテナを基体に取付け得るから、アンテナの磁気コアに応力が集中する虞れを最低限に抑え得る。すなわち、地板やアンテナ枠にかかる衝撃が非導電性材料からなるアンテナ枠で緩和され分散された状態でアンテナの磁気コアにかかるので、磁気コアが破損する虞れを最低限に抑え得る。また、このアンテナ枠体の基体に対する取付けの際に、アンテナ枠体が基体に対して正確に位置決めされ得るので、アンテナ枠体に対して正確に位置決めされたアンテナが基体に対して正確に位置決めされ得る。従って、周囲に金属部品があっても、該金属部品に対するアンテナの相対位置が個体差なく一定に保たれ得るから、個体差を最低限に抑えた状態で、アンテナが組込まれ得る。ここで、アンテナ枠を構成する非導電性材料は、典型的には、樹脂からなる。但し、樹脂に近い程度に剛性が低い場合、非導電性材料が、セラミック材料等からなっていてもよい。
【００１１】
以上において、アンテナをアンテナ枠体の凹部内に収容する際、典型的には、磁気コアの端部がアンテナ枠体の凹部の磁気コア端部収容凹部部分の底面に当接するようにアンテナをアンテナ枠体の凹部内に載置すると共に、アンテナの巻線部分とアンテナ枠体の凹部の巻線部収容凹部部分との隙間に充填した接着材でアンテナを巻線部分で巻線部収容凹部部分に接着・固定する。接着材としては、典型的には、シリコーン系の接着材のように柔軟性のある接着材が用いられる。
【００１２】
ここで、磁気コアの端部は、典型的には、磁気コア端部収容凹部部分の底面に面接触する。但し、アンテナ枠体が衝撃を受けた場合に磁気コアの端部の特定の箇所に応力が集中するのを避け得る限り、所望ならば、二箇所でほぼ線接触するように、底面又は磁気コアの端部のうちの少なくとも一方が傾斜した面（横断面では傾斜した線）を備えていてもよい。傾斜面は、横断面形状が直線状でも湾曲していてもよい。二箇所で接触する場合、アンテナの二方向の位置決めが同時に行われ得る。
【００１３】
なお、本発明のアンテナ枠体では、該アンテナ枠体が磁気コアの両端部でアンテナを位置決めし、固定は該アンテナ枠体と基体との間で行われるので、アンテナに過度の応力を欠けることなくアンテナが固定され得るから、磁気コアのまわりにボビンのようなものを介在させる必要がなく、巻線が実際上直接磁気コアに巻かれ得、磁気コアと巻線との間の空隙を最低限に抑え得る故、磁気コアに導電性があっても、渦電流損のような損失が最低限に抑えられ得る。
【００１４】
更に、本発明のアンテナ枠体では、該アンテナ枠体の凹部の壁部がアンテナを少なくとも部分的に取囲むので、アンテナの巻線に修理工具等が誤って接触して巻線が損傷を受ける虞れを最低限に抑え得るだけでなく、磁気コアがフェライト粉の焼結体のような脆いものである場合でも、該磁気コアの両端の露出部分に修理工具（例えば、ピンセットやドライバ）等が誤って当たって該両端露出部分が破損したりする虞れを低減させ得る。
【００１５】
本発明をアンテナ構造体としてみると、本発明のアンテナ構造体は、前記目的を達成すべく、細長い棒状の磁気コア及び該コアの長手方向の中央部に巻回された巻線を備えたアンテナと非導電性材料からなるアンテナ枠体とを有し、アンテナ枠体が、アンテナの巻線部分を収容する巻線部収容凹部部分及び該巻線部収容凹部部分の両側において磁気コアの両端部を収容する磁気コア端部収容凹部部分を含む凹部を備えると共に、両端部にあって基体に取付けられる端部取付け部を備え、凹部にアンテナが収容される際、磁気コア端部収容凹部部分に対してアンテナの磁気コアの端部が位置決めされるように構成され、端部取付け部が、凹部の開口のある基体側表面で基体の取付け表面に当接されて基体に取付けられるように構成される。
【００１６】
本発明のアンテナ構造体が、アンテナ枠体について上述したような利点を有することは、明らかであろう。
【００１７】
本発明のアンテナ構造体では、典型的には、磁気コアが円弧状に湾曲しており、アンテナ枠体が磁気コアの外周側を蔽う外周側壁部を有する。
【００１８】
この場合、アンテナ構造体を含む電波時計本体のような装置本体がケースから取出されたり裏蓋が外された状態においても、アンテナの巻線に修理工具等が誤って接触して巻線が損傷を受ける虞れを最低限に抑え得るだけでなく、磁気コアの両端の露出部分に修理工具等が誤って当たって該両端露出部分が破損したりする虞れを低減させ得る。
【００１９】
なお、本発明のアンテナ構造体では、アンテナ枠体は、典型的には、磁気コア端部収容凹部部分の外周側だけでなく内周側にも壁部を有し、更に、凹部の長手方向の端部に端壁を有する。これにより、アンテナがアンテナ枠体内に収容された際に、アンテナをアンテナ枠体に対して正確に位置決めし得る。なお、厳密には、磁気コアに過度の応力がかかるのを避けるべく、磁気コア端部収容凹部部分の内外の周壁部とアンテナの磁気コアの端部との間には、僅かな隙間が形成される。アンテナ構造体が直径２〜３ｃｍ程度の腕時計式の電波時計に組込まれる場合、この隙間の大きさは、典型的には、０．０５〜０．１ｍｍ程度である。但し、より大きくても、より小さくてもよい。
【００２０】
本発明のアンテナ構造体では、典型的には、アンテナ枠が基体側表面の反対側に位置する壁部に突起部を有する。突起部は、典型的には、複数設けられる。
【００２１】
この場合、突起部の存在によってアンテナ枠の変形が最低限に抑えられ得る。また、磁気コアがフェライト粉の焼結体のような脆いものである場合でも、アンテナ枠に加えられる衝撃を突起部で受け得るから、衝撃が突起部で緩和され得るので、磁気コアに伝達される衝撃が最低限に抑えられ得る。なお、アンテナ構造体が腕時計式の電波時計に組込まれる場合、突起部は、裏蓋が多少変形しても裏蓋に当たらない程度の高さで形成される。
【発明を実施するための最良の形態】
【００２２】
次に、本発明の好ましい一実施の形態を添付図面に示した好ましい一実施例に基づいて説明する。
【実施例】
【００２３】
図１には、本発明による好ましい一実施例の腕時計式の電波時計１を構成する本体ないし時計本体２が示されている。
【００２４】
電波時計１は、ケース（図示せず）の内周に近接して位置する外周近傍に、円弧状に延びたアンテナ構造体３を有する。アンテナ構造体３は、アンテナ本体１０と、該アンテナ本体１０を覆うアンテナ枠体４と、同調（共振）用回路部７０とを有する。
【００２５】
アンテナ３以外の領域には、主として時計本体用の回路ブロックを構成する時計本体用の時計本体用の回路基板５が配置されている。この例では、回路基板５は、アンテナ構造体３に対応する円弧状の切欠５ａやモータ６等に対応する切欠ないし開口５ｂ等を除いて、時計本体２のほぼ全体にわたってほぼ円形に拡がっている。基板５には、例えば、時計機能に関連するメインＩＣ（図示せず）等に加えて電波の受信用ＩＣ（集積回路）（図示せず）が実装されている。
【００２６】
時計本体２のうちアンテナ構造体３のある領域に対して直径方向の反対側には、電池７が配置され、該電池７の正極に接触する接点部８ａを備えると共に夫々の接点部８ｂで各種回路部品に対して基準電位を与える電池プラス端子８が時計本体２の大半の領域に拡がっている。これらの時計部品は、時計本体２の基体をなす地板８０上に直接的又は間接的に載置又は固定されている。中央に見えるのは、輪列受９である。
【００２７】
図２の（ａ）に示したように、地板８０は、アンテナ構造体３の載置領域に、平坦な表面８１を備え、表面８１には、浅い巻線部受容凹部８２が形成されている。地板８０は、更に、アンテナ取付け孔８３，８４を有する。
【００２８】
アンテナ本体１０は、図２〜図６からかるように、Ｍｎ−Ｚｎ系のフェライト粉の焼結体の如きフェライト製の磁気コア１１と巻線（アンテナワイヤ）１２とからなる。磁気コア１１は、図６の（ａ）等からわかるように、円弧状に湾曲し巻線１２が巻回されたコア本体部１３と該コア本体部１３の両端に形成された取付・位置決め用大径端部１４，１５とを有する。コア本体部１３は、例えば、図５の（ｂ）に示したように、正方形の断面を有する。一方、大径端部１４，１５は、長方形状の断面を有する。ここで、大径とは、本体部よりも断面のサイズが大きい（太い）ことをいい、形状は、位置決め・固定に適する限り、どのようなものでもよい。すなわち、磁気コア１１の断面形状や平面形状は、図示の例とは異なっていてもよい。なお、巻線の巻回領域が確定され得、位置決めに十分な強度を有する限り、本体部１３よりも細くてもよい。なお、コア本体部１３に巻線１２が巻回されてなる部分を、以下では、巻線部１６という。
【００２９】
アンテナ枠４は、図３や図６や図４の（ｃ）等からわかるように、アンテナ本体１０を収容するアンテナ収容凹部２０を備えた円弧状のアンテナ枠本体部３０と、該本体部３０の両端部３１，３２に一体的に形成された支持脚部５０，６０とを有する。
【００３０】
アンテナ枠本体部３０は、図３や図５からわかるように、凹部２０の底壁をなし円弧状に延びた頂壁部３３と、頂壁部３３の円弧の外周縁３４で一体的につながり円弧状に湾曲した外周側壁部３５とを有し、更に、図３や図６の（ａ）からわかるように、頂壁部３３の内周縁３６の両端部３７，３８において一体的につながった内周側壁部３９，４０を有する。アンテナ枠体本体部３０のうち一方の端部３２の幅方向中央部には、図３や図４の（ｂ）からわかるように、巻線１２の端部１２ａ，１２ｂを取出すための切欠部４１が形成されている。
【００３１】
アンテナ収容凹部２０は、図６の（ａ）及び（ｂ）や図２の（ａ）からわかるように、アンテナ本体１０の巻線１２の巻回された磁芯付コイル部ないし巻線部１６を収容するための円弧状の巻線部収容凹部部分２１と、アンテナ本体１０のうち巻線１２の両端から突出する大径のコア端部１４，１５を収容する磁気コア端部収容凹部部分２２，２３とを有する。磁気コア端部収容凹部部分２２，２３は、巻線収容凹部部分２１の両端部において該巻線収容凹部部分２１に連続的につながっている。なお、巻線部収容凹部部分２１及び磁気コア端部収容凹部部分２２，２３は、図２の（ａ）からわかるように、アンテナ本体１０の磁気コア１１の端部１４，１５が上面１４ａ，１５ａで磁気コア端部収容凹部部分２２，２３の底面２２ｂ，２３ｂ（頂壁３３の一部をなす凹部部分２２，２３の底壁部２２ａ，２３ａの面）に当接した際、巻線部１６の外周部１６ｂと巻線収容凹部部分２１の底面２１ｂ（頂壁３３の一部をなす凹部２１の底壁部２１ａの面）との間に隙間Ｇ１が残るような深さ（サイズ）で形成される。この隙間Ｇ１には、柔軟性のあるシリコーン系の接着材１８が充填され、巻線部１６を凹部部分２１の底壁部２１ａに接着している。
【００３２】
巻線収容凹部部分２１は、図５の（ｂ）の横断面図からわかるように、枠本体部３０の頂壁部３３の一部をなす壁部２１ａと外周側壁部３５とによって規定されている。一方、磁気コア端部収容凹部部分２２及び２３は、夫々、頂壁部３３の一部をなす壁部２２ａ及び２３ａに加えて、外周側壁部３５の厚肉部分３５ａ及び３５ｂ、内周側壁部３９及び４０、並びに端壁部４３及び４４によって規定されている（図６の（ａ））。図６の（ａ）の底面図で見て、磁気コア１１の端部１４は凹部部分２２の壁部３５ａ，３９の間に、ほぼぴったり嵌り込み、端部１５は凹部部分２３の壁部３５ｂ，４０の間に、ほぼぴったり嵌り込んでいる。同様に、磁気コア１１は、端壁部４３，４４間にほぼぴったり嵌り込んでいる。なお、いずれの場合にも、厳密には、同図からもわかるとおり、僅かな間隙Ｇ２があり、この隙間Ｇ２には、柔軟性のあるシリコーン系の接着材が充填されている。この隙間Ｇ２は、例えば、０．０５〜０．２ｍｍ程度である。なお、磁気コア端部収容凹部部分２２及び２３の内周側壁部３９，４０のあるところでは、アンテナ枠本体部３０は、地板８０に近接する側で、幅広になっている。
【００３３】
アンテナ枠４の一方の支持脚部５０は、図３からわかるように、アンテナ枠本体部３０の端部３１のうち地板８０に近接する側において、該端部３１に一体的に形成されている。支持脚部５０は、図６や図２の（ａ）からわかるように、当接面を規定する下面５１を備えると共に、取付用ねじ孔５２を有する。なお、支持脚部５０のアンテナ枠本体部３０の側の部分と該本体部３０の支持脚部５０側の部分とは、連続的につながっているので、接続部がいずれに属するかを区別する必要はない。即ち、凹部２０のうち磁気コア端部収容凹部部分２２の端が、アンテナ枠本体部３０の範囲内にあるとみなしても、部分的に、支持脚部５０内に入り込んで連続的に形成されているとみなしてもよい。次の支持脚部６０についても同様である。
【００３４】
アンテナ枠４の他方の支持脚部６０も、図３からわかるように、アンテナ枠本体部３０の端部３２のうち地板８０に近接する側において、該端部３２に一体的に形成されている。支持脚部６０も、図６や図２の（ａ）からわかるように、当接面を規定すべく支持脚部５０の下面５１と面一の下面６１を備えると共に、取付用ねじ孔６２を有する。
【００３５】
以上において、凹部２０は、少なくとも、基体８０側に位置する面５１，６１のある側で開口している。この例では、アンテナ枠４が、内周側で、回路ブロックを構成する回路基板５に近接し、該基板５によってカバーされていることから、アンテナ枠４の内周側には壁部がないけれども、配設スペースがある場合には、アンテナ枠４が内周側にも壁部を備えていてもよい。
【００３６】
なお、図２の（ａ）においては、図示の簡明化のために、次に説明する同調用回路７０の載置に係る部分を省いて示してある。支持脚部６０は、アンテナ枠本体部３０の半分程度の厚さを有し、図３や図４の（ｂ）からわかるように、支持脚部６０の上面６３は、アンテナ枠本体部３０の端部３２側の切欠部４１により形成された開口４２に臨んでいる。
【００３７】
図３や図４等からわかるように、支持脚部６０の上面６３には、同調用回路部７０が配置されている。同調用回路部７０は、配線パターン７１が形成された配線基板７２と該基板７２上に実装された複数群のコンデンサ７３，７４とを有する。配線パターン７１は、巻線１２の端部１２ａ，１２ｂが接続される接続端子部７５ａ，７５ｂや同調ないし共振出力を取り出すための受信信号出力側端子部７６ａ，７６ｂ，７６ｃを含む。同調用回路７０は、アンテナ本体１０を構成する磁気コア付コイル１１，１２と協働して、時刻情報を含む標準電波に同調する同調回路（共振回路）を構成し、受信した標準電波信号を出力側端子部７６ａ，７６ｂ，７６ｃのうち関連する端子部から出力する。
【００３８】
以上の如く構成されたアンテナ構造体３では、組立に際しては、アンテナ本体１０を、巻線部１６が巻線収容凹部部分２１内に収容され且つ磁気コア１１の大径端部１４，１５が磁気コア端部収容凹部部分２２，２３内に収容されるように、凹部２０内に取付ける。このとき、例えば、まず、アンテナ枠体４をその壁部３３が下に位置し面５１，６１が上を向くように配置する。次に、磁気コア１１の端部１４，１５が面１４ａ，１５ａでアンテナ枠体４の凹部２０の磁気コア端部収容凹部部分２２，２３の底面２２ｂ，２３ｂに当接するようにアンテナ本体１０をアンテナ枠体４の凹部２０内に載置する。次に、アンテナ本体１０の巻線部１６の外周部１６ｂとアンテナ枠体４の凹部２０の巻線部収容凹部部分２１の底面２１ｂとの間隙Ｇ１にシリコーン系の接着材１８を充填し、アンテナ本体１０を巻線部１６において巻線部収容凹部部分２１に接着・固定する。接着材の充填は、アンテナ枠４うち壁部のない内周側から行われ得る。なお、接着材１８を予め凹部２１内に塗布しておき、その後、アンテナ本体１０を凹部２０内の所定位置に配設し接着してもよい。
【００３９】
また、以上において、磁気コア１１の大径端部１４，１５と凹部部分２２及び２３の周壁部３５ａ，３９，４４及び３５ｂ，４０，４３との間の間隙Ｇ２となる領域に予め塗布しておいたシリコーン系接着材により、端部１４，１５を枠体４に固定する（図６の（ａ））。但し、間隙Ｇ２の接着材はなくてもよい。
【００４０】
以上のようにして、磁気コア１１の大径端部１４，１５が磁気コア１１の延在面（地板８０の延在面と平行な面）内でアンテナ枠４に対して正確に位置決め・固定され、磁気コア１１の全体が該磁気コア１１の延在面内でアンテナ枠４に対して正確に位置決め・固定され得る。
【００４１】
次に、アンテナ枠４と該アンテナ枠４の凹部２０内の所定位置に位置決め・固定されたアンテナ本体１０とからなるアンテナ構造体３が、地板８０の所定位置に配置され、雄ねじ８５及び雌ねじ８６からなる締結手段８７により地板８０に固定される。
【００４２】
アンテナ構造体３の固定に際しては、図２の（ａ）に示すように、アンテナ枠４の支持脚部５０，６０の底面５１，６１が地板８０の表面８１に当接し且つ該支持脚部５０，６０の孔５２，６２が地板８０のアンテナ取付孔８３，８４と整列するように、アンテナ構造体３が地板８０上に載置され、締結手段８７が夫々の孔５２，８３及び６２，８４に挿通・螺着される。なお、このとき、アンテナ本体１０の巻線部１６の表面１６ａが地板８０の凹部８２の底面８２ａとの間には、間隙Ｇ３が残る。
【００４３】
従って、アンテナ構造体３のアンテナ本体１０は、下面５１，６１で地板８０の表面８１に当接し凹部部分２２，２３の頂壁面２２ｂ，２３ｂで磁気コア１１の大径端部１４，１５の上面１４ａ，１５ａに当接するアンテナ枠４を介して、地板８０の表面８１に垂直な方向に正確に位置決めされ得る。なお、アンテナ構造体３のアンテナ本体１０は、磁気コア１１の両端部１４及び１５がアンテナ枠４の凹部２２及び２３の周壁部３５ａ，３９，４４及び３５ｂ，４０，４３により水平面内（地板８０の表面８１の延在方向）で位置決めされているので、アンテナ枠４が締結手段８７，８７で地板８０に対して位置決めされることにより、該アンテナ枠４を介して、地板８０に対して水平面内でも正確に位置決めされ得る。
【００４４】
以上の如く、位置決めされた磁気コア１１を含むアンテナ本体１０は、時計本体２に対して、所定の位置に、正確に固定され得る。従って、図示しないケースや裏蓋等が金属からなる場合でも、アンテナ本体１０の受信感度ないし受信特性がケースや裏蓋等によって過度に害される虞れがなく、アンテナ本体１０の受信感度ないし受信特性の個体毎のバラツキが最低限に抑えられ得る。
【００４５】
なお、このアンテナ本体１０の固定に際して、磁気コア１１は、樹脂製のアンテナ枠４に対して位置決めされているだけであるから、磁気コア１１に局所的に大きな応力がかかる虞れが少なく、磁気コア１１が破損される虞れが少ない。
【００４６】
また、このアンテナ構造体３では、アンテナ本体１０が、裏蓋（図示せず）側では壁部２１ａ，２２ａ，２３ａを含む頂壁３３によってカバーされているので、裏蓋を外した状態でも、工具等がアンテナ本体１０に直接当たって該アンテナ本体１０に局所的に大きな衝撃を与えてアンテナ本体１０の磁気コア１１を破損させたり、巻線部１６の巻線１２に損傷を与えたりする虞れが少ない。
【００４７】
加えて、このアンテナ構造体３では、アンテナ本体１０が、外周側において、外側周壁３５でカバーされているので、裏蓋を外した状態でも、工具等がアンテナ本体１０に当たって該アンテナ本体１０に局所的に大きな衝撃を与えてアンテナ本体１０の磁気コア１１を破損させたり、巻線１２に損傷を与えたりする虞れが少ない。
【００４８】
なお、裏蓋を外した状態で工具等の物品が誤ってアンテナ構造体３の上に落下した場合でもアンテナ本体１０の磁気コア１１が受ける衝撃を更に低減させるために、アンテナ枠体４の表面に複数の突起部を形成しておいてもよい。
【００４９】
例えば、図２の（ｂ）に示したアンテナ構造体１０３では、アンテナ枠１０４の本体部１３０の頂壁１３３の表面に、複数の突起９１，９２，９３が形成されている。図２の（ｂ）に示した変形例において、図２の（ａ）等に示した実施例の要素と同一の要素には同一の符号が付され、対応するけれども部分的に異なる要素には、１００の位に１を追加した符号が付されている。
【００５０】
図２の（ｂ）のアンテナ構造体１０３の場合、裏蓋を外した状態で、工具等をアンテナ構造体１０３のアンテナ枠体１０４の上に誤って落下させたとしても、工具が突起９１，９２，９３等に当たるので、落下衝撃が頂壁１３３に直接的には加わらず、突起９１，９２，９３で緩和された衝撃が頂壁１３３を介してアンテナ本体１０に加えられるから、アンテナ本体１０の磁気コア１１が破損される虞れを更に低減させ得る。なお、突起群９１，９２，９３は、また、アンテナ枠体１０４の剛性を高めてアンテナ枠体１０４を変形し難くすることにより、アンテナ本体１０に大きな応力がかかる虞れを低減させ得る。
【００５１】
以上においては、磁気コア１１がＭｎ−Ｚｎ系のフェライト粉の焼結体からなるとして説明したけれども、フェライトの材料としてはＭｎ−Ｚｎ系の代わりにＮｉ−Ｚｎ系等他のものでもよく、フェライトとしては焼結体である代わりに樹脂で固めたもの等他の形態のものでもよい。また、磁気コア１１の材料としては、フェライトの代わりに他のものでもよく、所望ならば、アモルファス合金のような金属材料（例えば、箔体の積層体等）からなっていてもよい。
【００５２】
なお、磁気コア１１と巻線１２との間には、所望に応じて、フッ素コーティングのような絶縁被覆や、薄い絶縁シート等が介在し得る。
【図面の簡単な説明】
【００５３】
【図１】本発明の好ましい一実施例のアンテナ枠体を備えたアンテナ構造体を有する電波時計の時計本体を示したもので、（ａ）は時計本体を裏蓋側から見た平面説明図、（ｂ）は（ａ）の斜視説明図。
【図２】図１の時計本体のアンテナ構造体を取付状態を示したもので、（ａ）はアンテナ構造体の縦断面説明図（但し、同調用回路部及びこれに対応する取付部分は省いてある）、（ｂ）は（ａ）のアンテナ構造体の変形例についての（ａ）と同様な縦断面説明図。
【図３】図１のアンテナ構造体の斜視説明図。
【図４】図３のアンテナ構造体を示したもので、（ａ）は図３及び図４の（ｂ）のアンテナ構造体について矢印ＩＶＡ方向からみた側面説明図、（ｂ）は図３及び図４の（ａ）のアンテナ構造体について矢印ＩＶＢ方向から見た平面説明図、（ｃ）は図３及び図４の（ｂ）のアンテナ構造体について矢印ＩＶＣ方向からみた側面説明図。
【図５】図３のアンテナ構造体を別の方向から示したもので、（ａ）は図３及び図４の（ｂ）のアンテナ構造体について矢印ＶＡ方向からみた側面説明図、（ｂ）は図４の（ａ）のＶＢ−ＶＢ線断面説明図。
【図６】図３のアンテナ構造体を更に別の方向から示したもので、（ａ）は図４の（ｃ）のアンテナ構造体について矢印ＶＩＡ方向からみた底面説明図、（ｂ）は（ａ）のアンテナ構造体のＶＩＢ−ＶＩＢ線断面の端面説明図。
【符号の説明】
【００５４】
１，１０１  電波時計
２，１０２  時計本体
３，１０３  アンテナ構造体
４，１０４  アンテナ枠体
５  回路基板
５ａ  切欠
８  電池プラス端子
１０  アンテナ本体
１１  磁気コア
１２  巻線
１２ａ，１２ｂ  端部
１３  コア本体部
１４，１５  大径端部
１６  巻線部
１８  シリコーン系接着材
２０  アンテナ収容凹部
２１，１２１  巻線部収容凹部部分
２１ａ，１２１ａ  壁部
２１ｂ，１２１ｂ  底面
２２，２３  磁気コア端部収容凹部部分
２２ａ，２３ａ  壁部
２２ｂ，２３ｂ  底面
３０，１３０  アンテナ枠本体部
３１，３２  端部
３３  頂壁部
３５  外周側壁部
３９，４０  内周側壁部
４１  切欠部
４２  開口
５０，６０  支持脚部
５１，６１  底面
５２，６２  孔
７０  同調用回路部
８０  地板
８１  表面
８２  巻線部受容凹部
８２ａ  底面
８３，８４  孔
８７  締結手段
９１，９２，９３  突起部
【図１】
2006237744.tif 000003
【図２】
2006237744.tif 000004
【図３】
2006237744.tif 000005
【図４】
2006237744.tif 000006
【図５】
2006237744.tif 000007
【図６】
2006237744.tif 000008